(57)【特許請求の範囲】
【請求項１】
地下室の基礎床、側壁、天井をコンクリートによって成形するとともに、
コンクリートの基礎床の上に空洞コンクリートブロックを敷設し、
この空洞コンクリートブロックの上に断熱材を介して設けたコンクリート製の床を備え、
前記空洞コンクリートブロックは、空気を自然流動させるもので、
第一に、側壁に最も近い位置に配する空洞コンクリートブロックを地下室の側壁から離隔させて側壁との間に隙間を設け、
第二に、隣接する空洞コンクリートブロック同士を離隔させることにより細い隙間が出来るように並べ、
第三に、空洞コンクリートブロック同士の空洞が端から端まで貫通した状態を作るよう略直線的に並べて配置して、
地下室の側壁および天井に化粧板を備え、
この化粧板は、側壁および天井から若干離隔させて隙間が出来るようにしたものであり、
かつ、隣接する化粧板同士の端部を密着させず目地に若干の隙間を備えるものであることを特徴とする建物の地下室。
【発明の詳細な説明】
【技術分野】
【０００１】
本発明は、建物の地下室に係り、とくに結露を防止する構造に関する。
【背景技術】
【０００２】
狭い敷地の有効利用を図るため、一般住宅に限らず、マンション（大型共同住宅）でも地下に倉庫室を設けることがある。大型の商業ビルディングのように、地下に除湿機能を持った空調設備を配している場合には、地下の結露の問題は生じないが、いわゆるエアコンをもたない換気扇だけの地下室は、湿気をもった空気の水分が冷気と混じり合って側壁や天井に結露となってあらわれる問題がある。
【０００３】
このため、一般住宅に地下室を作っても結露によるカビの発生などで利用価値が失われたり、大型マンションのように地下に倉庫室を作っても結露によるカビの発生等によって倉庫室の利用価値が半減するなど、建築コストに見合う価値を発揮できない場合が少なくなかった。
【０００４】
結露の発生を確実に防止するには、除湿機能をもったエアコンディショナ装置を地下室に設けることが推奨される。しかしながら、結露を防止するためにエアコンディショナ装置を常時稼働させるのは経済的にも難しいことが多く、ショッピングセンターやデパートなど、大型の商業施設や美術館や駅などの公共施設を除けば、建物の地階部分の結露問題は、依然として解決されていないのが実情である。
【０００５】
除湿機能をもったエアコンディショナ装置のように、設置コストとランニングコストがかかる装置ではなく、より低コストの装置で除湿を行う試みも提案されている。例えば、特許文献１のように、地下室の天井に熱交換素子を用いた空調装置を配する等である。
【特許文献１】特開平０９−２８０６０２号
【発明の開示】
【発明が解決しようとする課題】
【０００６】
商業施設や公共施設以外の建物において、地下室の結露を防ぐために空調装置を用いた場合の問題は、設置コストが嵩み、メンテナンスコスト（維持経費）の負担が大きくかかる点にある。また外部の音が遮断された地下室では、空調装置の騒音も大きく聞こえて耳障りになる問題がある。
【０００７】
特許文献１のように、装置構成を単純化させた空調設備であっても、経年劣化に伴う故障やトラブルの可能性を否定できない。除湿のために常時駆動せざるを得ない空調装置は、騒音の点でも課題を残す。
【０００８】
そこで、本発明の目的は、換気扇以外の空調設備を用いることなく、建物の地下室の結露を低コストで防止可能とする点にある。換気扇は、常時駆動する必要はなく、換気のためには必要である。常時駆動するわけではないから騒音の点では問題はない。
【課題を解決するための手段】
【０００９】
前記目的を達成して、課題を解決するため、本発明に係る建物の地下室は、地下室の基礎床、側壁、天井をコンクリートによって成形するとともに、コンクリートの基礎床の上に空洞コンクリートブロックを敷設し、この空洞コンクリートブロックの上に断熱材を介して設けたコンクリート製の床を備え、前記空洞コンクリートブロックは、第一に、側壁に最も近い位置に配する空洞コンクリートブロックを地下室の側壁から離隔させて側壁との間に隙間を設け、第二に、隣接する空洞コンクリートブロック同士を離隔させて若干の隙間を設け、第三に、空洞コンクリートブロック同士の空洞が略直線的な空洞を作るように並べて配置してなる（請求項１）。
【００１０】
地下室の床面に、隙間を設けて空洞コンクリートブロックを配設すると、側壁と空洞コンクリートブロックの隙間、空洞コンクリートブロック同士の隙間、および略直線的に配した空洞コンクリートブロックの空洞が、地下室内の空気層の温度差に起因する対流空気の通り道となって、地下室内の空気を満遍なく循環させ、空気の滞留（淀み）に起因する結露を防止する。
【００１１】
地下室の結露は、湿気をもった温かい空気が天井近くに滞留し、床面近傍に冷たい空気が滞留して、それらが空気層の境界付近で混じり合って生ずるケースが多い。このため、特許文献１でも天井付近の空気の除湿を行う構成をとる。
【００１２】
これに対して、地下室に空気の通り道を作って空気を自然流動させれば、空気層の滞りに起因する地下室の結露は確実に低減する。殆ど生じない。
【００１３】
請求項２は、室内の側壁を装飾するパネルの設置に関する構造である。地下室の側壁および天井に配する化粧板（化粧パネル材）は、隣接する化粧板同士を離隔させて目地に若干の隙間を備えるよう設ける。
【００１４】
このようにしておけば、地下室内の空気は、化粧板の目地の隙間を通って自由に流動し、床に配した空洞コンクリートブロックを通過して冷気と暖気が均等に混合する状態を保つ。
【００１５】
請求項３は、化粧板の目地を装飾する構造である。化粧板の目地に隙間を設けると、化粧板の背面にあるコンクリートが隙間を通して見えて、見栄えが悪い場合がある。そこで目地の隙間に化粧目地材を配するが、化粧板の目地と化粧目地材との間にも若干の隙間を設けて、空気の流動性を担保する。
【発明の効果】
【００１６】
本発明に係る建物の地下室によれば、冷気がある床面に空洞コンクリートブロックを隙間を設けて配したため、より多くの細い空気の通り道が出来、わずかな空気密度の変化でも空気の流動を生じさせる。空気は暖められると密度が低下するから、床の冷たい空気は上方にある密度の低い方向へ流れようとする一方、冷気が暖気側へ移動すると、隙間内の冷気の空気密度が低下して、今度は暖気が床の隙間内に流れようとする。
【００１７】
床にある冷気側の通り道（隙間）は細いので、わずかでも空気が流動すれば当該部分の空気の流度は速く、空気密度は直ちに低下する。この空気密度の低下を埋めるために、室内の空気が隙間に流れ込む。
【００１８】
地下室はいわば大きな箱であるが、このような空気密度の変化に伴う空気の流動は、通常の居室では起こりにくい。空気の密度変化が少ないため、暖気は上方に、冷気は下方にとどまって滞留する。
【００１９】
しかし、空洞コンクリートブロックを床に多数の細い隙間を設けて敷き並べると、わずかな密度変化でも空気の流動が生じやすくなり、結果として、地下室の空気は常時ゆるやかに流動し、冷気と暖気の大量の混合による結露を生じさせない。
【発明を実施するための最良の形態】
【００２０】
図１〜図４は、本発明に係る地下室の一実施形態を示すものである。図１に示すように、この実施形態に係る地下室１は、窓２の外に空間（いわゆるドライヤード）３をもったもので、基礎床４、側壁５、天井６の全体をコンクリートによって成形してある。７は地表面、Ｋは排水ポンプ等を設けるための空間（いわゆる釜場）である。一戸建て住宅やマンション等の躯体は、天井６の上に作る。符号Ｆは、換気口である。
【００２１】
この地下室１は、側壁５と天井６の内面に断熱材８を配する一方、基礎床４の上に空洞コンクリートブロック（建築用ブロック）１０を敷設し、この空洞コンクリートブロック１０の上に断熱材９を敷設して、その上にコンクリート製の床１１を作る。床１１は、コンクリートを打設して作っても良いし、成型品であるコンクリート板を敷設して作ってもよい。
【００２２】
空洞コンクリートブロック１０は、図２、図３に示すように、互いに細い隙間Ｗ１が出来るように並べるとともに、外周部に配する空洞コンクリートブロック１０を側壁５からわずかに離隔させて隙間Ｗ２を設ける。図２において符号Ｄはドア開口である。隙間Ｗ１は１０ｍｍ程度とすることが望ましい。隙間Ｗ２は地下室の大きさに応じて設定する。通常の場合、２０〜１００ｍｍの範囲としておけば空気を流動させる隙間として機能する。
【００２３】
また、図４に示すように、空洞コンクリートブロック１０は、隣接する空洞１４が略一直線上に整列するよう配置する。空洞コンクリートブロック１０が備える空洞１４の数は、通常は２個または３個であるが、その数に関係なく、隣接するブロック（１０）同士の各空洞１４が途中で途切れることなく端から端まで貫通した状態を作るよう配設する。
【００２４】
地下室１には、内装のための内装ボード（化粧板）２０を配することが望ましい。この内装ボード２０は、例えば図４に示すように、側壁５の表面から若干離隔させて側壁５との間に隙間Ｗ３が出来るように配する。２１は、内装ボード２０を固定するための裏材である。また、内装ボード２０は、互いに端部を密着させず、目地２３に若干の隙間Ｗ４が出来るように配する。側壁５に限らず、天井６に配する内装ボード２０も、目地（２３）に隙間Ｗ４を設ける点は同じである。
【００２５】
側壁５に配する内装ボード２０の最下端部は、例えば、外周にある空洞コンクリートブロック１０の上面に配置することが望ましい。側壁５と内装ボード２０との間の隙間Ｗ３の空気が、空洞コンクリートブロック１０が作っている隙間Ｗ１および空洞１４を自由に流れるようにするためである。
【００２６】
目地２３には、隙間Ｗ４を設けるので、好ましくは図５に示すように、見栄えを良好にするための化粧目地材２５を設ける。この化粧目地材２５は、例えば、内装ボード２０の裏面に配するが、目地２３の隙間を完全に密閉せず、目地２３に沿って隙間Ｗ５を設けておく。側壁５と内装ボード２０との間の隙間Ｗ３の空気を、居室の空気と自由に交換可能とするためである。Ｑは固定金具である。
【００２７】
かかる構成によれば、地下室１の居室の空気は、内装ボード２０の目地２３の隙間Ｗ４（Ｗ５）を介して、内装ボード２０の裏面の隙間Ｗ３と交換可能であり、また内装ボード２０の裏面の隙間Ｗ３の空気は、空洞コンクリートブロック１０の空洞１４および隙間Ｗ１を自由に流動できる状態にある。
【００２８】
結露が生じやすいのは、外気温が低い冬期である。冬期は、地下室１でもストーブ等の各種の暖房を使用する。このとき、暖房によって暖められた空気は居室の上方へ移動するが、この地下室１は、内装ボード２０の目地に隙間Ｗ４、Ｗ５があるため、空気の対流により隙間Ｗ４、Ｗ５における空気の流動が生じる。温度差、つまり気圧差が生じているからである。
【００２９】
内装ボード２０の裏面の隙間Ｗ３の気圧が微妙に変化すると、床に設けてある空洞コンクリートブロック１０の空洞１４および隙間Ｗ１の空気が微妙な圧力変化に応じて流動する。暖房を使用する冬期は、通常、内装ボード２０の裏面の隙間Ｗ３の気圧が暖気の流入によって低下すると考えられるが、このような状態では、気圧が高い冷気（床の空気）が気圧の低い方向に流れて圧力を均衡させようとするからである。
【００３０】
圧力差の基づく空気の流動は、室温と床の温度が逆転している場合も生じる。例えば、居住者が長期不在で、室温が外気の影響で低くなり、床の温度が地熱等の影響で高いとき、空気の圧力は床（空洞コンクリートブロック１０の空洞１４および隙間Ｗ１）が低くなり、居室側が高くなる。このときにも、内装ボード２０の目地の隙間Ｗ４、Ｗ５を介して空気の流動が起こり、冷たい空気が床（下方）に流れて、床の空気が居室側に流れる。
【００３１】
このようにして、居室の温度状態に関係なく四季を通して空気が自由に動くため、地下室１は、空気の滞留に起因する結露、つまり淀んだ冷気／暖気の混合に起因する結露は生じにくい構造となる。
【００３２】
なお、本発明に係る地下室は、この実施形態に限定されない。例えば、地下室１の外部にドライエリアがない大型マンションやビルの地下室でも空気の流動を促して結露を防止できる作用効果は同じである。
【００３３】
図４では、側壁５に配する最下端部の内装ボード２０を、空洞コンクリートブロック１０の上に配設するよう図示してあるが、これは本質的な条件ではない。例えば、図６に示すように、側壁５に配する最下端部の内装ボード２０を、空洞コンクリートブロック１０から外した位置（基礎床４の上など）に配設しても良いからである。但し、その場合は、内装ボード２０の下端部に開口を設けて空気の流動を良好にする等、空気の流動を確保することが望ましい。
【００３４】
内装ボード２０は、地下室１の内装のために配するものであるが、内装ボード２０を設けない場合でも、隙間Ｗ１、Ｗ２を設けて空洞コンクリートブロック１０の空洞１４を整列させれば、空気の自由な流動が生ずるため地下室１の結露を防止できる。
【００３５】
内装ボード２０を設ける場合に、化粧目地材２５は必ずしも必要ではない。見栄えを改善するためのものであり、空気の自由流動を促進させるものではないからである。化粧目地材２５は内装ボードの表面側に設けても良いことは勿論である。
【図面の簡単な説明】
【００３６】
【図１】実施形態に係る地下室を例示する図である。
【図２】実施形態に係る空洞コンクリートブロックの配設例を示す平面図である。
【図３】実施形態に係る空洞コンクリートブロックの配設例を示す斜視図である。
【図４】実施形態に係る空洞コンクリートブロックの空洞の整列状態を示す図である。
【図５】実施形態に係る目地の隙間を例示する図である。
【図６】実施形態に係る内装ボードの第二の設置例を示す図である。
【符号の説明】
【００３７】
１  地下室
２  窓
３  空間（いわゆるドライヤード）
４  基礎床
５  側壁
６  天井
７  地表面
８、９  断熱材
１０  空洞コンクリートブロック
１１  床
１４  空洞
２０  内装ボード（化粧板）
２３  目地
２５  化粧目地材
Ｄ  ドア開口
Ｋ  空間（いわゆる釜場）
Ｆ  換気口
Ｗ１、Ｗ２、Ｗ３、Ｗ４、Ｗ５  隙間
【図１】
0005118524.tif 000002
【図２】
0005118524.tif 000003
【図３】
0005118524.tif 000004
【図４】
0005118524.tif 000005
【図５】
0005118524.tif 000006
【図６】
0005118524.tif 000007